(57)【要約】【課題】電力の出力が低減されて、節電の環境保護目的が達成されるクリスマス用装飾灯装置を提供する。【解決手段】ＬＥＤの表示灯群が、電子式スイッチにより制御され、マイクロコントローラと、電流保護及び過出力保護機能を有する交換式電源供給器と電子式スイッチにより、表示灯群の点滅方式（例えば、フリッカー周波数頻率や回数或いはマーキー方式）が設定や制御され、これにより、表示灯群の総電流が、所定の範囲内に制限され、装飾灯の使用安定性や耐用寿命が向上され、また、電子式スイッチが、オン状況で、瞬間に、ＬＥＤの視覚輝度が向上され、表示灯群がＯＦＦになる時、残像により目が感覚する輝度が維持される。【選択図】図４
0003149013.tif 000002
【実用新案登録請求の範囲】
【請求項１】
ＬＥＤの表示灯群が、電子式スイッチにより制御され、マイクロコントローラと、電流保護及び過出力保護機能を有する交換式電源供給器と電子式スイッチにより、表示灯群の点滅方式（例えば、フリッカー周波数頻率や回数或いはマーキー方式）が設定や制御される、ことを特徴とするクリスマス用装飾灯装置。
【請求項２】
電子式スイッチが、ＭＯＳＦＥＴであることを特徴とする請求項１に記載のクリスマス用装飾灯装置。
【請求項３】
電子式スイッチが、トランジスタであることを特徴とする請求項１に記載のクリスマス用装飾灯装置。
【請求項４】
表示灯群を、祭典に応じて、異なる図柄に配列することが出来ることを特徴とする請求項１に記載のクリスマス用装飾灯装置。
【請求項５】
マイクロコントローラが、ＭＣＵ  Ｃｏｎｔｒｏｌであることを特徴とする請求項１に記載のクリスマス用装飾灯装置。
【考案の詳細な説明】
【技術分野】
【０００１】
本考案は、クリスマス用装飾灯装置に関し、特に、過電流保護及び過出力保護機能を有する交換式電源供給器を利用して、総電源が、所定の範囲内に制限されて、装飾灯の使用安定性や耐用寿命が向上されるものに関する。
【背景技術】
【０００２】
一般に、光源や指示灯或いは設備灯に使用されるＬＥＤ表示灯群（図１のように）は、使用上、ＬＥＤの損害を防止するため、上記回路１０に、電流制限抵抗２０が実装されるが、上記表示灯群を、より大きいパワーに適用する時、電流制限抵抗２０の抵抗が、発熱素子になり、内部パーツの損害要因になり、耐用寿命が低減され、また、メンテナンスコストが高くなり、そして、電流制限抵抗２０が、発熱により、余ったエネルギーを消費するため、電力消費が高くなる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、過電流保護や過出力保護機能を有する交換式電源供給器を利用して、表示灯群の総電流が、所定の範囲内に制限され、電子式スイッチに対して、限流を行わず、従来の電流制限抵抗による発熱を防止でき、そして、電子式スイッチ自身の電圧降下や従来の電流制限抵抗の電圧降下による温度上昇を低減して、パーツの損害や寿命の低減を防止でき、これにより、装飾灯の使用安定性と耐用寿命が向上され、電子式スイッチが、オン状況で、瞬間にＬＥＤの電流を上昇させ、その視覚輝度が、従来の電流制限抵抗を使用する時の視覚輝度よりも高くなり、また、表示灯群が、電子スイッチによりＯＦＦ状態になると、残像により、目が感覚する輝度を維持でき、電力の出力を低減でき、節電の環境保護目的が達成されるクリスマス用装飾灯装置を提供する。
【課題を解決するための手段】
【０００５】
請求項１の考案は、ＬＥＤの表示灯群が、電子式スイッチにより制御され、マイクロコントローラと、電流保護及び過出力保護機能を有する交換式電源供給器と電子式スイッチにより、表示灯群の点滅方式（例えば、フリッカー周波数頻率や回数或いはマーキー方式）が設定や制御される、
ことを特徴とするクリスマス用装飾灯装置である。
【０００６】
請求項２の考案は、電子式スイッチが、ＭＯＳＦＥＴであることを特徴とする請求項１に記載のクリスマス用装飾灯装置である。
【０００７】
請求項３の考案は、電子式スイッチが、トランジスタであることを特徴とする請求項１に記載のクリスマス用装飾灯装置である。
【０００８】
請求項４の考案は、表示灯群を、祭典に応じて、異なる図柄に配列することが出来ることを特徴とする請求項１に記載のクリスマス用装飾灯装置である。
【０００９】
請求項５の考案は、マイクロコントローラが、ＭＣＵ  Ｃｏｎｔｒｏｌであることを特徴とする請求項１に記載のクリスマス用装飾灯装置である。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図２〜図５を参照しながら、本考案に係る装飾灯は、電子式スイッチ４０（例えば、ＭＯＳＦＥＴやトランジスタ等である）により制御されるＬＥＤ  ３１の表示灯群３０であって、上記表示灯群３０は、祭典（例えば、クリスマス等である）に応じて、異なる図柄に配列でき、例えば、クリスマスツリー等であり、また、ＭＣＵ  Ｃｏｎｔｒｏｌであるマイクロコントローラ５０と、過電流保護ＯＣＰ及び過出力保護ＯＰＰ機能を有する交換式電源供給器６０（以下、ＳＰＳに称される）と、電子式スイッチ４０とを利用して、表示灯群３０の点滅方式（例えば、フリッカー周波数頻率や回数或いはマーキー方式）を設定や制御する。
【００１２】
図６のように、電子式スイッチ４０が完全にオンされると、電流が、瞬間に上昇し、この時、交換式電源供給器６０の過出力保護のＯＰＰ作動により、短絡電流になり、その後、過電流保護ＯＣＰにより情報を受信して、出力電流を所定の設定値内に制限し、これにより、負荷電流が大きすぎることにより損害されることを防止して、電圧が灯群３０の仕事電圧値Ｖｆ（図７のように、Ａが、本考案の適用範囲で、Ｂが、一般の適用範囲である）である３．８Ｖに低下され、これにより、過電流保護ＯＣＰと過出力保護ＯＰＰ機能を有する交換式電源供給器６０を利用して、表示灯群３０の総電流が、所定の範囲内に制限され、従来の電流制限抵抗が発熱することによりパーツが損害されることを防止でき、そのため、装飾灯の使用安定性や耐用寿命が向上され、また、表示灯群３０の各ＬＥＤ  ３１の輝度が、オン電流に比例して、また、表示灯群３０のＬＥＤ  ３１自身のＶ−Ｉ特性曲線を利用して、即ち、電圧が微量増加により、電流が急激に増加する特性を利用して、電子式スイッチ４０がオン状況下、瞬間にＬＥＤ  ３１の視覚輝度が、従来の電流制限抵抗を使用する時より高くなり、図８のように、Ａが、表示灯群３０のＬＥＤ  ３１の両端電圧に対応する時間波形で、Ｂが、一般の電流制限抵抗を使用する時の波形であり、消費電力Ａ＝Ｂ、視覚輝度Ａ＞＞Ｂであるため、表示灯群３０が、ＯＦＦ状態になる瞬間、残像により目が感覚する輝度を維持でき、電力の出力を低減でき、これにより、上記表示灯群３０は、交換式電源供給器６０を利用して、所定のパワーを供給でき、電子式スイッチ４０に対して限流せず、電子式スイッチ４０自身の電圧降下や従来の電流制限抵抗の電圧降下による温度上昇を低減でき、また、図９のように、Ａが、表示灯群３０のＬＥＤ  ３１の両端電圧に対応する時間波形で、Ｂが、一般の電流制限抵抗を使用する時の波形であり、消費電力Ａ＜＜Ｂ、視覚輝度Ａ＝Ｂであるため、節電の環境保護目的が達成される。
【００１３】
そのため、本考案は、より進歩的かつより実用的で、法に従って実用新案登録請求を出願する。
【００１４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１５】
【図１】従来のＬＥＤに搭載される電流制限抵抗の回路図
【図２】本考案に係るＬＥＤスイッチの等価回路図
【図３】本考案の回路ブロック図
【図４】本考案の表示灯群の配列概念図
【図５】本考案の回路ブロック図
【図６】本考案の回路作動ブロック図
【図７】本考案に係るＬＥＤ（Ｖ−Ｉ）と従来の電流制限抵抗を使用するＬＥＤとの曲線比較図
【図８】本考案に係るＬＥＤ（Ｖ−Ｉ）と従来の電流制限抵抗を使用するＬＥＤとの輝度波形比較図１
【図９】本考案に係るＬＥＤ（Ｖ−Ｉ）と従来の電流制限抵抗を使用するＬＥＤとの輝度波形比較図２
【符号の説明】
【００１６】
１０      回路
２０      電流制限抵抗
３０      表示灯群
３１      ＬＥＤ
４０      電子式スイッチ
５０      マイクロコントローラ
６０      交換式電源供給器
【図１】
0003149013.tif 000003
【図２】
0003149013.tif 000004
【図３】
0003149013.tif 000005
【図４】
0003149013.tif 000006
【図５】
0003149013.tif 000007
【図６】
0003149013.tif 000008
【図７】
0003149013.tif 000009
【図８】
0003149013.tif 000010
【図９】
0003149013.tif 000011
【手続補正書】
【提出日】平成20年12月26日(2008.12.26)
【手続補正１】
【補正対象書類名】実用新案登録請求の範囲
【補正対象項目名】請求項１
【補正方法】変更
【補正の内容】
【請求項１】
ＬＥＤの表示灯群が、電子式スイッチにより制御され、マイクロコントローラと、電流保護及び過出力保護機能を有する交換式電源供給器と電子式スイッチにより、表示灯群の点滅方式が設定や制御される、ことを特徴とするクリスマス用装飾灯装置。